(57)【特許請求の範囲】
【請求項１】
発光体が実装された基板を内包する外囲器である外管と、
前記基板において前記発光体が実装された実装面とは反対側の前記外管内の空間に設置されたＩＣタグと、
を備え、
前記外管のうち、前記基板に対して前記ＩＣタグが設置された側に対向する曲面形状部分の少なくとも一部が金属によって形成され、
金属によって形成された該曲面形状部分において、前記ＩＣタグと対向する部分に開口した切欠部が形成された
ことを特徴とする光源装置。
【請求項２】
前記外管の両端に設置された口金を備え、
前記ＩＣタグは、前記外管の両端に設置された前記口金のうち、接地側の前記口金寄りに設置された
ことを特徴とする請求項１記載の光源装置。
【請求項３】
前記ＩＣタグは、前記基板において、前記実装面とは反対側の面に設置された
ことを特徴とする請求項１又は請求項２に記載の光源装置。
【請求項４】
絶縁材によって形成され、前記ＩＣタグを内部に封入し、前記切欠部を閉口する態様で固定され、その外側端部は前記外管の外曲面よりも外側に突出した封入手段を備えた
ことを特徴とする請求項１記載の光源装置。
【請求項５】
絶縁体によって形成され、前記ＩＣタグを内部に封入し、前記外管の内側から前記切欠部を閉口する態様で固定された封入手段を備えた
ことを特徴とする請求項１記載の光源装置。
【請求項６】
発光体が内包された外管と、該外管の両端に設置された口金を備えた光源装置を取り付ける照明器具であって、
前記口金のピンを嵌入する樹脂製のソケットと、
該ソケットの下側に設置されたＩＣタグと、
を備えた
ことを特徴とする照明器具。
【請求項７】
前記ＩＣタグは、前記外管の両端の前記口金にそれぞれ対応する前記ソケットのうち、接地側の前記ソケットに設置された
ことを特徴とする請求項６記載の照明器具。
【請求項８】
前記ＩＣタグは、前記ソケットに埋設された
ことを特徴とする請求項６又は請求項７記載の照明器具。
【請求項９】
前記ソケットにおいて、前記ＩＣタグが埋設された部分に文字、図形又は記号が表示された
ことを特徴とする請求項８記載の照明器具。
【請求項１０】
前記ＩＣタグは、記憶された情報の更新を可能とした
ことを特徴とする請求項６〜請求項９のいずれか一項に記載の照明器具。
【請求項１１】
直方体形状を呈し、その一面が開口した開口部を有する器具筐体と、
該器具筐体の前記開口部を覆い、発光体が設置された樹脂製の光反射手段と、
該光反射手段の内側に設置されたＩＣタグと、
を備えた
ことを特徴とする照明器具。
【請求項１２】
前記発光体を点灯させる光源点灯装置を備え、
前記ＩＣタグは、前記器具筐体の長手方向の端部側寄りに設置され、
前記光源点灯装置は、前記ＩＣタグが設置された前記器具筐体の長手方向の前記端部側とは反対側の端部側寄りに設置された
ことを特徴とする請求項１１記載の照明器具。
【請求項１３】
発光体が実装された基板を内包する外囲器である外管と、
該外管の両端に設置された口金と、
該口金に設置されたＩＣタグと、
を備え、
前記ＩＣタグは、前記口金に埋設されており、
前記口金において、前記ＩＣタグが埋設された部分に文字、図形又は記号が表示された
ことを特徴とする光源装置。
【請求項１４】
天井に取り付け、下方を照射するダウンライトである照明器具であって、
開口面を有した椀形状を呈し、該椀形状の内側底面に発光体が設置されたベース部と、
該ベース部を支持する器具筐体と、
前記ベース部の前記開口面の周縁部にフランジ状に形成された外周部と、
情報を記憶するＩＣタグと、
を備え、
前記外周部の前記器具筐体側の面に前記ＩＣタグを設置した
ことを特徴とする照明器具。
【発明の詳細な説明】
【技術分野】
【０００１】
本発明は、ＩＣタグを備えた光源装置及び照明器具に関する。
【背景技術】
【０００２】
発光ダイオード（以下ＬＥＤと称する）等の光源にＩＣタグを装着することに関する技術がある（例えば、特許文献１〜特許文献３参照）。ここで、ＩＣタグとは、一般に、ＩＣチップとアンテナ機能とから構成されており、ＩＣタグリーダーライターと通信可能であり、自己の電池が無くても通信が可能である。また、ＩＣタグには、読み出し専用タイプ及び書き込み可能タイプ等がある。
【０００３】
このようなＩＣタグを利用した発明として、消耗品である蛍光灯の使用経過時間を管理するために、蛍光灯にＩＣタグを装着し、このＩＣタグに記憶された情報を読み書きするリーダーライターを有し、蛍光灯の使用開始から一定の消耗品寿命時間が経過すると処理手段によって蛍光灯の交換が必要であることが自動的に使用者に通報されるというものがある（例えば、特許文献１参照）。
【０００４】
また、ＩＣタグではないが、同様に情報を記憶することが可能なＩＣチップを複数の放電ランプのベースに設置し、これらのＩＣチップを通信線で接続して、それぞれの放電灯の状態を管理し、寿命ランプ及び異常ランプ等の点灯を防止し、かつ、ランプ交換を促す光源装置が提案されている（例えば、特許文献２参照）。
【０００５】
また、ＩＣタグを備え、高圧放電灯によって構成される光源装置であって、この高圧放電灯の点灯を開始させるために放電灯の電極間に高電圧のスターターパルスを印加することによるＩＣタグの破壊、及び、点灯中の高温状態の放電灯の熱によってＩＣタグの破壊を抑制するために、高圧放電灯の口金から外部へ延長した給電線にＩＣタグを装着したものがある（例えば、特許文献３参照）。
【先行技術文献】
【特許文献】
【０００６】
【特許文献１】特開２００６−８５３４４号公報（第４−５頁、図２）
【特許文献２】特開２００９−４２４１号公報（第８−９頁、図４）
【特許文献３】特開２００８−２６９９７７号公報（第６頁、図１）
【発明の概要】
【発明が解決しようとする課題】
【０００７】
しかしながら、上記の特許文献１〜特許文献３に記載された装置は、光源である放電灯（放電ランプ）の寿命が光源を使用する装置（照明器具等）と比較して短いので、放電灯の交換時期等の報知を行う情報を得ることを主目的としてＩＣタグを取り付けていた。したがって、ＩＣタグは、必ずしも光源を使用する装置にとって支障にならない適切な位置に装着されていたわけではなく、外観を損なうという問題点があった。
【０００８】
本発明は、上記のような課題を解決するためになされたものであり、ＬＥＤ等の比較的長寿命の発光体を使用した光源装置又は照明器具に対して、適切な位置にＩＣタグを装着することを目的とする。
【課題を解決するための手段】
【０００９】
本発明に係る光源装置は、発光体が実装された基板を内包する外囲器である外管と、前記基板において前記発光体が実装された実装面とは反対側の前記外管内の空間に設置されたＩＣタグと、を備え、前記外管のうち、前記基板に対して前記ＩＣタグが設置された側に対向する曲面形状部分の少なくとも一部が金属によって形成され、金属によって形成された該曲面形状部分において、前記ＩＣタグと対向する部分に開口した切欠部が形成されたものである。
【発明の効果】
【００１０】
本発明によれば、光源装置の製造時期又は設置時期等を記憶したＩＣタグを、基板における発光体の実装面とは反対側に設置しているので、光源装置の外観を損なうことがなく、また、発光体の照射方向を覆ってしまう等の不具合を避けることができる。
【図面の簡単な説明】
【００１１】
【図１】本発明の実施の形態１に係る光源装置１００の構成図である。
【図２】本発明の実施の形態２に係る光源装置１００の長手方向から見た断面図である。
【図３】本発明の実施の形態２に係る光源装置１００の平面視（天井側から見た場合）における要部図である。
【図４】本発明の実施の形態３に係る光源装置１００の側面から見た切欠部７近傍の要部断面図である。
【図５】本発明の実施の形態４に係る光源装置１００の側面から見た切欠部７近傍の要部断面図である。
【図６】本発明の実施の形態５に係る光源装置１００の構成図である。
【図７】本発明の実施の形態６に係る光源装置１００の長手方向から見た断面図である。
【図８】本発明の実施の形態７に係る照明器具１０１の構成図である。
【図９】本発明の実施の形態８に係る照明器具１０１ａの構成図である。
【図１０】本発明の実施の形態９に係る照明器具１０１ｂの構成図である。
【図１１】本発明の実施の形態１０に係る照明器具１０１ｂの構成図である。
【発明を実施するための形態】
【００１２】
実施の形態１．
（光源装置１００の構成）
図１は、本発明の実施の形態１に係る光源装置１００の構成図である。
図１で示されるように、本実施の形態に係る光源装置１００は、外管１、口金２、供給ピン３ａ、３ｂ、内部構造体４、発光体５及びＩＣタグ６を備えている。
【００１３】
外管１は、内部構造体４を内包する円筒形状の外囲器であり、樹脂等の透光性の絶縁材料で構成されており、その両端には口金２が設置されている。
【００１４】
供給ピン３ａ、３ｂのうち、供給ピン３ａは、内部構造体４を構成する基板への電源供給するための２本の金属ピンであり、供給ピン３ｂは、接地側の１本の金属ピンである。
【００１５】
内部構造体４は、ＬＥＤ等の発光体５が実装された基板４ａ、その基板４ａを外管１内に固定する手段、及び、その基板４ａへの給電電線等によって構成されたものである。
【００１６】
ＩＣタグ６は、設置する光源装置１００の製造時期又は設置時期等を記憶することが可能な小型の記憶媒体である。このＩＣタグ６は、例えば、樹脂製のカバーに覆われており、基板４ａにおける発光体５の実装面とは反対側の面に、かつ、金属部及び電源部を避けて固定されているものとする。さらに、ＩＣタグ６は、基板４ａ上のうち、供給ピン３ａ側寄りはなく、接地側の供給ピン３ｂ側寄りに設置されている。また、ＩＣタグ６に記憶された情報は、ＩＣタグリーダー（図示せず）によって読み取られ、別の場所に設置されたホストコンピューター（図示せず）等に送信され、このホストコンピューター上で、このＩＣタグ６に記憶された情報に基づいて光源装置１００の状態を管理することができる。
【００１７】
この供給ピン３ａと供給ピン３ｂとの間に電圧が印加されることによって、基板４ａに実装されたＬＥＤ等である発光体５に電力が供給され、発光体５が点灯する。また、供給ピン３ａ及び供給ピン３ｂへの電圧の印加については、光源装置１００を照明器具（図示せず）に設置することによって、この照明器具から供給ピン３ａ及び供給ピン３ｂに電圧が印加される。
なお、図１においては、上側が天井側であり、下側が照射側であるものとしている。
【００１８】
（実施の形態１の効果）
以上のような構成のように、光源装置１００の製造時期又は設置時期等を記憶したＩＣタグ６を、外管１内部の基板４ａ上に設置し、かつ、基板４ａにおける発光体５の実装面とは反対側の面に設置しているので、光源装置１００の外観を損なうことがなく、また、発光体５の照射方向を覆ってしまう等の不具合を避けることができる。
【００１９】
また、光源装置１００の情報が記憶されたＩＣタグ６の情報をＩＣタグリーダーによって読み取ることによって、このＩＣタグリーダーが接続されたホストコンピューター等において、光源装置１００の製造時期又は設置時期等の情報を確認することができ、各光源装置１００の製造時期又は設置時期等を一元管理することができる。
【００２０】
また、ＩＣタグ６は、基板４ａにおける発光体５の実装面とは反対側（設置時の天井側）に設置し、かつ、金属部及び電源部を避けて設置しているので、光源装置１００が照明器具に設置された状態においても、光源装置１００の上側（設置時の天井側）からＩＣタグリーダーによって読み取ることが可能となる。
【００２１】
さらに、ＩＣタグ６は、基板４ａ上において、供給ピン３ａ側寄りではなく、接地側の供給ピン３ｂ側寄りに設置されているので、ＩＣタグリーダーによるＩＣタグ６の情報の読み取りの際に、電磁界の影響が比較的少なくなるので、情報の読み取りの確実性が向上する。
【００２２】
なお、前述したように、供給ピン３ａを２本の金属ピン、そして、供給ピン３ｂを１本のピンとしたが、これに限定されるものではなく、蛍光灯のように両側にそれぞれ２本のピンを備えた形状のものでも適用可能である。
【００２３】
また、発光体５としてＬＥＤを例として説明したが、これに限定されるものではなく、発光体５として、長寿命が期待できる有機ＥＬ（Ｅｌｅｃｔｒｏ−Ｌｕｍｉｎｅｓｃｅｎｃｅ）を使用してもよい。
【００２４】
また、ＩＣタグ６は、基板４ａ上のうち、接地側の供給ピン３ｂ側寄りに設置されているものとしているが、これに限定されるものではなく、ＩＣタグ６の情報が読み取れるような電磁界の影響が少ない位置であれば、基板４ａ上のうちのいずれの位置に設置されてもよい。
【００２５】
実施の形態２．
本実施の形態に係る光源装置１００について、実施の形態１に係る光源装置１００の構成及び動作と相違する点を中心に説明する。
【００２６】
（光源装置１００の構成）
図２は、本発明の実施の形態２に係る光源装置１００の長手方向から見た断面図であり、図３は、同光源装置１００の平面視（天井側から見た場合）における要部図である。なお、図２の矢印は天井側を示している。
【００２７】
図２で示されるように、外管１の上側の曲面形状部分（例えば、外管１内の基板４ａより上側に相当する部分）は、アルミニウム等の金属で形成された外管金属部１ａによって構成されている。一方、外管１の下側の曲面形状部分（例えば、外管１内の基板４ａより下側に相当する部分）は、樹脂等の透光性材料で形成された外管樹脂部１ｂによって構成されている。この外管金属部１ａ及び外管樹脂部１ｂによって構成された外管１の内部において、内部構造体４は、外管金属部１ａの内側に固定されているものとする。
【００２８】
また、図３で示されるように、基板４ａ上の接地側の供給ピン３ｂ側寄りに設置されたＩＣタグ６の上方の外管金属部１ａ部分には、切欠部７が形成されており、ＩＣタグ６の上方が開口されている態様となっている。
【００２９】
（実施の形態２の効果）
以上の構成のように、外管１の上側部分は金属によって形成されているので、基板４ａの発光体５等から発生する熱を放熱することができる。
【００３０】
また、図２で示されるように、基板４ａに設置されたＩＣタグ６は、外管金属部１ａによって覆われることになるが、図３で示されるように、ＩＣタグ６の上方に対応する外管金属部１ａの部分に切欠部７を形成したので、金属である外管金属部１ａの影響を受けずに、ＩＣタグ６の情報をＩＣタグリーダーによって読み取ることができる。
【００３１】
また、基板４ａから発生する熱の放熱を担う外管金属部１ａの切欠部７の部分だけを切り欠くだけなので、その放熱動作に大きな影響を与えることもない。
【００３２】
なお、図２において、外管１について、外管１内の基板４ａより上側の曲面形状に相当する部分を外管金属部１ａとし、基板４ａより下側の曲面形状に相当する部分を外管樹脂部１ｂとしているが、この構成に限定されるものではない。すなわち、例えば、外管金属部１ａに着目した場合、外管１のうち基板４ａの上側の少なくとも一部が外管金属部１ａによって構成され、又は、外管１のうち基板４ａの上側から、下側の一部にかけて外管金属部１ａによって構成されるものとしてもよい。
【００３３】
実施の形態３．
本実施の形態に係る光源装置１００について、実施の形態２に係る光源装置１００の構成及び動作と相違する点を中心に説明する。
【００３４】
（光源装置１００の構成）
図４は、本発明の実施の形態３に係る光源装置１００の側面から見た切欠部７近傍の要部断面図である。
図４で示されるように、実施の形態２とは異なり、ＩＣタグ６は、基板４ａ上には設置されておらず、絶縁材によって成形された封入手段８の内部に封入されている。そして、この封入手段８は、切欠部７を閉口する態様で、切欠部７に固定されており、封入手段８の外側端部は、外管金属部１ａの外曲面よりも外側に突出している。
【００３５】
（実施の形態３の効果）
以上のように、金属である外管金属部１ａに形成され、絶縁材によって成形された封入手段８内にＩＣタグ６を設置することにより、ＩＣタグリーダーをＩＣタグ６を封入している封入手段８にかざすことによって、ＩＣタグ６の情報を読み取ることができる。
【００３６】
また、基板４ａから発生する熱の放熱を担う外管金属部１ａの切欠部７の部分だけを切り欠くだけなので、その放熱動作に大きな影響を与えることもない。
【００３７】
さらに、切欠部７に固定された封入手段８の外側端部が、外管金属部１ａの外曲面よりも外側に突出しているので、このような光源装置１００の取り付け作業時に、平面台等に光源装置１００を置いた場合、円筒形状の外管１が転がることを防止し、平面台等からの落下によって光源装置１００を破損してしまう事態を回避することができる。また、封入手段８の外側端部が、外管金属部１ａの外曲面よりも外側に突出しているので、ＩＣタグ６の設置個所が容易に視認でき、ＩＣタグリーダーによって容易にＩＣタグ６の情報を読み取ることができる。
【００３８】
実施の形態４．
本実施の形態に係る光源装置１００について、実施の形態３に係る光源装置１００の構成及び動作と相違する点を中心に説明する。
【００３９】
図５は、本発明の実施の形態４に係る光源装置１００の側面から見た切欠部７近傍の要部断面図である。
図５で示されるように、実施の形態３と同様に、ＩＣタグ６は、基板４ａ上には設置されておらず、絶縁体によって成形された封入手段８ａの内部に封入されている。ただし、本実施の形態においては、実施の形態３とは異なり、封入手段８ａは、外管１の内部から切欠部７を閉口する態様で、切欠部７に固定されており、さらに、封入手段８ａの下面は、基板４ａに当接して固定されている。したがって、外管１の外側から見た場合、切欠部７において、外管金属部１ａの厚さだけ窪んだ状態で、封入手段８ａによって内部から切欠部７が閉口されていることになる。
【００４０】
（実施の形態４の効果）
以上のように、金属である外管金属部１ａに形成され、絶縁材によって成形された封入手段８ａ内にＩＣタグ６を設置することにより、ＩＣタグリーダーをＩＣタグ６を封入している封入手段８ａにかざすことによって、ＩＣタグ６の情報を読み取ることができる。
【００４１】
また、基板４ａから発生する熱の放熱を担う外管金属部１ａの切欠部７の部分だけを切り欠くだけなので、その放熱動作に大きな影響を与えることもない。
【００４２】
さらに、切欠部７に固定された封入手段８ａの外側端部によって、切欠部７の内部から閉口され、外管金属部１ａの厚さだけ窪んだ状態となっているので、このような光源装置１００の取り付け作業時に、平面台等に光源装置１００を置く場合において、ＩＣタグ６を封入した封入手段８ａとぶつかりにくいので、衝撃によるＩＣタグ６の損傷を抑制することができる。また、切欠部７の部分が外管金属部１ａの厚さだけ窪んだ状態となっているので、ＩＣタグ６の設置個所が容易に視認でき、ＩＣタグリーダーによって容易にＩＣタグ６の情報を読み取ることができる。
【００４３】
なお、図５で示されるように、封入手段８ａは切欠部７を閉口するため切欠部７に固定され、かつ、基板４ａにも当接して固定されているものとしているが、これに限定されるものではない。すなわち、少なくとも、封入手段８ａは、切欠部７を閉口するために切欠部７に固定されていればよく、必ずしも基板４ａに固定される必要はない。
【００４４】
実施の形態５．
本実施の形態に係る光源装置１００について、実施の形態１に係る光源装置１００の構成及び動作と相違する点を中心に説明する。
【００４５】
（光源装置１００の構成）
図６は、本発明の実施の形態５に係る光源装置１００の構成図である。このうち、図６（ａ）は、接地側の金属ピンである供給ピン３ｂ近傍の要部断面図であり、図６（ｂ）は、本実施の形態に係る光源装置１００の長手方向から見た断面図である。なお、図６（ｂ）の矢印は天井側を示している。
【００４６】
図６で示されるように、外管１の両端に設置された口金２は樹脂材料によって成形されている。また、実施の形態１とは異なり、ＩＣタグ６は、基板４ａ上には設置されておらず、接地側の供給ピン３ｂ側の口金２の下側に形成された窪みに収納され、その窪みの開口部が樹脂製のカバーによって塞がれて口金２内に埋設されている。あるいは、ＩＣタグ６を窪みに収納した後、その窪みにシリコン材等を充填して、ＩＣタグ６を窪み内に埋設する構成としてもよい。
【００４７】
（実施の形態５の効果）
以上のような構成において、ＩＣタグリーダーをＩＣタグ６が埋設された口金２にかざすことによって、その口金２に埋設されたＩＣタグ６の近傍には金属部品がないので、ＩＣタグ６の情報を容易に読み通ることができる。また、ＩＣタグ６は、口金２の下側に埋設されているので、光源装置１００が照明器具に設置された状態においても、光源装置１００の下側からＩＣタグリーダーによって読み取ることができる。
【００４８】
また、ＩＣタグ６は、接地ピンである供給ピン３ｂ側の口金２に埋設されているので、ＩＣタグリーダーによるＩＣタグ６の情報の読み取りの際に、電磁界の影響が比較的少なくなるので、情報の読み取りの確実性が向上する。
【００４９】
また、ＩＣタグ６は、口金２に埋設されており直接視認することができないので、ＩＣタグリーダーによる読み取りに手間を要する場合があるので、口金２におけるＩＣタグ６の埋設箇所に文字、図形又は記号等を表示しておくと、読み取りが容易になる。
【００５０】
なお、図６で示されるように、ＩＣタグ６を口金２に埋設させる態様としたが、これに限定されるものではなく、口金２から下方に向かう凸部を設け、その凸部内にＩＣタグ６を埋設させる構成としてもよい。これによって、上記のように文字、図形又は記号等を表示させなくても、ＩＣタグ６の埋設箇所を容易に見つけ出すことができ、ＩＣタグリーダーによる読み取りが容易となる。
【００５１】
また、本実施の形態に係る光源装置１００は、実施の形態１に係る光源装置１００と相違する点を中心に説明したが、本実施の形態の構成を、実施の形態２に係る光源装置１００に適用するものとしてもよい。
【００５２】
また、ＩＣタグ６は、接地側の供給ピン３ｂ側の口金２の下側に形成された窪みに収納するものとしているが、これに限定されるものではなく、電磁界の影響が少なくＩＣタグ６の情報が読み取れるような雰囲気が確保されていれば、供給ピン３ａ側の口金２に収納するものとしてもよい。
【００５３】
また、ＩＣタグ６は、口金２の下側に形成された窪みに収納するものとしているが、少なくとも円筒形状の口金２の中央部よりも下側に位置するように収納する態様とすれば、上記の効果を得ることができる。
【００５４】
実施の形態６．
本実施の形態に係る光源装置１００について、実施の形態５に係る光源装置１００の構成及び動作と相違する点を中心に説明する。
【００５５】
（光源装置１００の構成）
図７は、本発明の実施の形態６に係る光源装置１００の長手方向から見た断面図である。なお、図７の矢印は天井側を示している。
【００５６】
図７で示されるように、ＩＣタグ６は、接地側の供給ピン３ｂ側の口金２の上側（天井側）に形成された窪みに収納され埋設されている。この場合、供給ピン３ｂ側の口金２は、実施の形態５と同様に、樹脂材料によって成形されている。
【００５７】
なお、実施の形態５のように、口金２が外側（本実施の形態においては上方）に向かって凸部を設け、その凸部内にＩＣタグ６を埋設させる構成にすると、その凸部が、光源装置１００を設置する照明器具（図示せず）にぶつかることがあり好ましくない。
【００５８】
（実施の形態６の効果）
以上の構成のように、ＩＣタグ６を口金２に埋設する場合、その埋設箇所が目立つ場合があり、外観的に違和感を与える場合がある。しかし、本実施の形態のように、ＩＣタグ６の埋設箇所を口金２の上側にすることによって、外観的な違和感を与えることがないようにすることができる。その他、実施の形態５に係る効果を備えることは言うまでもない。
【００５９】
また、ＩＣタグ６は、口金２の上側（天井側）に形成された窪みに収納するものとしているが、少なくとも円筒形状の口金２の中央部よりも上側に位置するように収納する態様とすれば、上記の効果を得ることができる。
【００６０】
実施の形態７．
本実施の形態においては、長寿命な発光体であるＬＥＤ等を有する光源装置を搭載する照明器具側にＩＣタグを備えた場合について説明する。
（照明器具１０１の構成）
図８は、本発明の実施の形態７に係る照明器具１０１の構成図である。
図８で示されるように、光源装置１００ａは、外管１、口金２、供給ピン３ａ、３ｂ及びＬＥＤ等の発光体を備えた内部構造体（図示せず）を備えている。すなわち、光源装置１００ａは、実施の形態１〜実施の形態６に係る光源装置１００と異なり、それ自身にＩＣタグ６を備えていない。本実施の形態に係る照明器具１０１は、光源装置１００ａの供給ピン３ａ、３ｂが嵌入され、それぞれのピンに電圧を印加するための樹脂製のソケット９、そのソケット９を支持する器具筐体１０を備えている。上記の２つのソケット９のうち、光源装置１００の接地側の供給ピン３ｂが嵌入される側のソケット９の下側に形成された窪みに収納され、その窪みの開口部が樹脂製のカバーによって塞がれてソケット９内に埋設されている。あるいは、ＩＣタグ６を窪みに収納した後、その窪みにシリコン材等を充填して、ＩＣタグ６を窪み内に埋設する構成としてもよい。
【００６１】
（光源装置１００ａの交換方法）
管理者は、ＩＣタグリーダーによって、ソケット９に埋設されたＩＣタグ６の情報を読み出す。その読み出された情報である光源装置１００ａの製造時期又は設置時期等から、交換すべきか否かを判断する。照明器具１０１ａの交換作業は、通常の蛍光灯のように、照明器具１０１ａの供給ピン３ａ、３ｂをソケット９から引き抜き、照明器具１０１から光源装置１００ａを取り出す。そして、新しい光源装置１００ａの供給ピン３ａ、３ｂを、ソケット９に嵌入させることによって、光源装置１００ａを照明器具１０１に取り付ける。このとき、供給ピン３ｂ側のソケット９に埋設されたＩＣタグ６には、交換する前の照明器具１０１ａの情報が書き込まれているので、新しく照明器具１０１に取り付けた照明器具１０１ａの製造時期又は設置時期等の情報を、ＩＣタグライター（リーディング機能及びライティング機能を備えたＩＣタグリーダーライターでもよく、この場合、前述のＩＣタグリーダーに代えて兼用できる）によってＩＣタグ６に書き込む（更新する）。ＩＣタグライター（又はＩＣタグリーダーライター）が、別の場所に設置されたホストコンピューター（図示せず）等がネットワークを介して、あるいは、直接接続されている場合、新しくＩＣタグ６に書き込んだ情報がこのホストコンピューターに送信され、新しく交換された光源装置１００ａの状態が管理される。したがって、本実施の形態におけるＩＣタグ６は、記憶された情報の読み出しだけではなく、情報を更新、すなわち、書き込むことが可能であることが必要である。
【００６２】
（実施の形態７の効果）
以上のような構成において、ＩＣタグリーダーをＩＣタグ６が埋設されたソケット９にかざすことによって、そのソケット９に埋設されたＩＣタグ６の近傍には金属部品がないので、ＩＣタグ６の情報を容易に読み通ることができる。また、ＩＣタグ６は、ソケット９の下側に埋設されているので、光源装置１００ａが照明器具に設置された状態においても、照明器具１０１の下側からＩＣタグリーダーによって読み取ることができる。
【００６３】
また、ＩＣタグ６は、接地ピンである供給ピン３ｂ側のソケット９に埋設されているので、ＩＣタグリーダーによるＩＣタグ６の情報の読み取りの際に、電磁界の影響が比較的少なくなるので、情報の読み取りの確実性が向上する。
【００６４】
また、ＩＣタグ６は、ソケット９に埋設されており直接視認することができないので、ＩＣタグリーダーライター等による読み取り又は書き込みに手間を要する場合があるので、ソケット９におけるＩＣタグ６の埋設箇所に文字、図形又は記号等を表示しておくと、読み取り又は書き込みが容易になる。
【００６５】
なお、図８で示されるように、ＩＣタグ６をソケット９に埋設させる態様としたが、これに限定されるものではなく、ソケット９から下方に向かう凸部を設け、その凸部内にＩＣタグ６を埋設させる構成としてもよい。これによって、上記のように文字、図形又は記号等を表示させなくても、ＩＣタグ６の埋設箇所を容易に見つけ出すことができ、ＩＣタグリーダーライターによる読み取り又は書き込みが容易となる。
【００６６】
また、ＩＣタグ６は、光源装置１００の接地側の供給ピン３ｂが嵌入される側のソケット９の下側に形成された窪みに収納するものとしているが、これに限定されるものではなく、電磁界の影響が少なくＩＣタグ６の情報が読み取れる雰囲気が確保されていれば、供給ピン３ａが嵌入される側のソケット９に収納するものとしてもよい。
【００６７】
実施の形態８．
（照明器具１０１ａの構成）
図９は、本発明の実施の形態８に係る照明器具１０１ａの構成図である。このうち、図９（ａ）は、本実施の形態に係る照明器具１０１ａの側面図であり、図９（ｂ）は、同照明器具１０１ａを下方から見た図である。なお、図９の矢印は天井側を示している。
【００６８】
図９で示されるように、本実施の形態に係る照明器具１０１ａは、いわゆるダウンライトと称されるものであり、器具筐体１０ａ、ベース部１１、内部構造体４、発光体５及びＩＣタグ６を備えている。
【００６９】
内部構造体４は、ＬＥＤ等の発光体５が実装された基板４ａ、その基板４ａをベース部１１に固定する手段、及び、その基板４ａへの給電電線等によって構成されたものである。
なお、図９（ｂ）で示されるように、発光体５は、基板４ａの略中央部に設置される構成としているが、これに限定されるものではなく、例えば、複数の発光体５が、基板４ａの実装面に配置されている構成としてもよい。
【００７０】
ベース部１１は、椀形状をしており、その開口面が下側に向くように、器具筐体１０ａに固定されている。また、このベース部１１の内側底面には、内部構造体４が固定されており、そのうちの基板４ａにおける発光体５が実装された実装面が下側に向くことになる。また、このベース部１１の開口面の周縁部には、樹脂製の外周部１２がフランジ状に形成されている。
【００７１】
器具筐体１０は、ベース部１１を支持するものであり、ベース部１１に固定された内部構造体４において発生する熱を放熱するための放熱フィン等を備えている。
【００７２】
ＩＣタグ６は、設置する照明器具１０１ａの製造時期又は設置時期等を記憶することが可能な小型の記憶媒体であり、ベース部１１に形成された外周部１２の器具筐体１０ａ側の平面に設置されている。
【００７３】
以上のような構成の照明器具１０１ａは、天井面５０に取り付けられ、具体的には、天井面５０に開口部を設け、ベース部１１の開口面が下側（すなわち、発光体５による照射方向が下向きとなるような位置）となるように、その開口部周辺と、外周部１２の器具筐体１０ａ側の平面とを当接させ、ネジ等の固定器具によって固定させる。すなわち、照明器具１０１ａの本体は、天井面５０の上部側に設置されることになる。この際、外周部１２の器具筐体１０ａ側の平面に設置されたＩＣタグ６の部分に相当する天井面５０の開口部周辺に切欠部を形成することによって、天井面５０とＩＣタグ６との干渉を避けることができる。
【００７４】
（実施の形態８の効果）
以上のような構成において、ＩＣタグリーダーをＩＣタグ６が設置された外周部１２にかざすことによって、ＩＣタグ６の近傍には金属部品がないので、ＩＣタグ６の情報を容易に読み取ることができる。このように、ＩＣタグリーダーによってＩＣタグ６の情報を読み取る際に、照明器具１０１ａを天井面５０から取り外す必要がないのは言うまでもない。
【００７５】
また、ＩＣタグ６は、外周部１２の器具筐体１０ａ側の平面に設置されており、天井面５０の下側から直接視認することができず、ＩＣタグリーダーによる読み取りに手間を要する場合があるので、外周部１２におけるＩＣタグ６の設置箇所に文字、図形又は記号等を表示しておくと、読み取りが容易になる。
【００７６】
なお、図９で示される外周部１２は樹脂製であり、そのため、ＩＣタグ６を外周部１２の器具筐体１０ａ側の平面に設置するのみで、ＩＣタグリーダーによって読み取ることが可能であるが、外周部１２が金属製である場合には、次のように構成すればよい。すなわち、金属製である外周部１２のＩＣタグ６の設置個所に切欠部を形成し、その切欠部に樹脂で覆ったＩＣタグ６を固定するものとすればよい。このような構成にすれば、外周部１２が金属製であっても、ＩＣタグリーダーによって、ＩＣタグ６の情報を読み取ることができる。
【００７７】
実施の形態９．
（照明器具１０１ｂの構成）
図１０は、本発明の実施の形態９に係る照明器具１０１ｂの構成図である。このうち、図１０（ａ）は、本実施の形態に係る照明器具１０１ｂの外観斜視図であり、図１０（ｂ）は、図１０（ａ）のＡ−Ａ断面図である。なお、図１０の矢印は天井側を示している。
【００７８】
図１０で示されるように、本実施の形態に係る照明器具１０１ｂは、器具筐体１０ｂ、反射手段１３、内部構造体４、発光体５及びＩＣタグ６を備えている。
【００７９】
器具筐体１０ｂは、照明器具１０１ｂの外形を形成するものであり、直方体形状を呈し、下面が開口したものである。
【００８０】
反射手段１３は、器具筐体１０ｂの下面の開口部を覆う樹脂製のものであり、図１０（ｂ）で示されるように、波形状を呈している。この反射手段１３の波形状の山部には、長手方向に沿って、内部構造体４が設置されている。また、図１０（ｂ）で示されるように、反射手段１３の波形状の山部は２つ形成されており、それぞれの山部に内部構造体４が設置されている。また、反射手段１３の下面が反射面となっている。
なお、図１０（ｂ）で示されるように、反射手段１３の波形状の山部は２つ形成されたものとしているが、これに限定されるものではなく、１つ又は３つ以上の山部が形成された反射手段１３を設置する構成としてもよい。
【００８１】
内部構造体４は、ＬＥＤ等の発光体５が実装された基板４ａ、その基板４ａを反射手段１３に固定する手段、及び、その基板４ａへの給電電線等によって構成されたものであり、前述のように、反射手段１３の波形状の山部に設置されており、発光体５が実装された実装面が下方に向くように設置されている。
【００８２】
ＩＣタグ６は、設置する照明器具１０１ｂの製造時期又は設置時期等を記憶することが可能な小型の記憶媒体であり、図１０（ａ）で示されるように、反射手段１３における器具筐体１０ｂ内部側に設置されている。
【００８３】
（実施の形態９の効果）
以上のような構成において、ＩＣタグリーダーをＩＣタグ６が設置された反射手段１３にかざすことによって、ＩＣタグ６の近傍には金属部品がないので、ＩＣタグ６の情報を容易に読み取ることができる。このように、ＩＣタグリーダーによってＩＣタグ６の情報を読み取る際に、照明器具１０１ｂを天井から取り外す必要がないのは言うまでもない。
【００８４】
また、ＩＣタグ６は、反射手段１３における器具筐体１０ｂ内部側に設置されており、下方側から直接視認することができず、ＩＣタグリーダーによる読み取りに手間を要する場合があるので、反射手段１３におけるＩＣタグ６の設置箇所に文字、図形又は記号等を表示しておくと、読み取りが容易になる。
【００８５】
なお、図１０で示される反射手段１３は樹脂製であり、そのため、ＩＣタグ６を反射手段１３における器具筐体１０ｂ内部側に設置するのみで、ＩＣタグリーダーによって読み取ることが可能であるが、反射手段１３が金属製である場合には、次のように構成すればよい。すなわち、金属製である反射手段１３のＩＣタグ６の設置個所に切欠部を形成し、その切欠部に樹脂で覆ったＩＣタグ６を固定するものとすればよい。このような構成にすれば、反射手段１３が金属製であっても、ＩＣタグリーダーによって、ＩＣタグ６の情報を読み取ることができる。
【００８６】
また、発光体５としてＬＥＤを例として説明したが、これに限定されるものではなく、発光体５として、長寿命が期待できる有機ＥＬを使用してもよい。
【００８７】
実施の形態１０．
本実施の形態に係る照明器具１０１ｂについて、実施の形態９に係る照明器具１０１ｂの構成及び動作と相違する点を中心に説明する。
【００８８】
（照明器具１０１ｂの構成）
図１１は、本発明の実施の形態１０に係る照明器具１０１ｂの構成図である。
図１１で示されるように、ＩＣタグ６は、反射手段１３における器具筐体１０ｂ内部側に設置され、かつ、器具筐体１０ｂの長手方向の端部側に設置されている。また、基板４ａ（図示せず）に実装された発光体５を点灯する光源点灯装置１４を、ＩＣタグ６が配置された器具筐体１０ｂの長手方向の端部側と反対の端部側に設置している。すなわち、ＩＣタグ６と光源点灯装置１４とを、器具筐体１０ｂの長手方向に対して互いに逆の端部に位置するように、距離を離して設置するものとしている。これは、光源点灯装置１４が発生する電磁界によってＩＣタグリーダーによるＩＣタグ６の情報の読み取り動作へ影響されることを抑制するためである。
【００８９】
なお、図１１で示されるように、器具筐体１０ｂは直方体形状としているが、例えば器具筐体１０ｂの平面形状が正方形形状である場合、ＩＣタグ６と光源点灯装置１４とを、その正方形形状の対角線上に配置するものとすれば、ＩＣタグ６と光源点灯装置１４との距離を最も大きくすることができる。
また、図１１においては、発光体５と、光源点灯装置１４とを別々に配置するものとしたが、例えば、発光体５を搭載した基板４ａ上に、光源点灯装置１４の電子回路部品を搭載する場合、ＩＣタグ６は、光源点灯装置１４において電磁界を発生するコイル部品等とできるだけ距離が離れるように配置するものとすればよい。
【００９０】
（実施の形態１０の効果）
以上のような構成によって、実施の形態９の効果を有するのはもちろんのこと、発光体５を点灯するための光源点灯装置１４による電磁界の影響を抑制した状態で、ＩＣタグ６の読み取り動作が可能となる。
【符号の説明】
【００９１】
１  外管、１ａ  外管金属部、１ｂ  外管樹脂部、２  口金、３ａ、３ｂ  供給ピン、４  内部構造体、４ａ  基板、５  発光体、６  ＩＣタグ、７  切欠部、８、８ａ  封入手段、９  ソケット、１０、１０ａ、１０ｂ  器具筐体、１１  ベース部、１２  外周部、１３  反射手段、１４  光源点灯装置、５０  天井面、１００、１００ａ  光源装置、１０１、１０１ａ、１０１ｂ  照明器具。
【図１】
0005954985.tif 000002
【図２】
0005954985.tif 000003
【図３】
0005954985.tif 000004
【図４】
0005954985.tif 000005
【図５】
0005954985.tif 000006
【図６】
0005954985.tif 000007
【図７】
0005954985.tif 000008
【図８】
0005954985.tif 000009
【図９】
0005954985.tif 000010
【図１０】
0005954985.tif 000011
【図１１】
0005954985.tif 000012